(57)【要約】【課題】屋内をカーテンで遮光状態にしても、屋内空気を光触媒で効率良く清浄化していくことができる屋内空気清浄システムを提供する。【解決手段】サッシ窓１のガラス板１ａの屋内３側の面部に光触媒５が設けられると共に、遮光性カーテン４の屋外２側に同じく光触媒５が設けられている。そして、屋内３の空気を、閉じられたカーテン４とサッシ窓１との間の空気層６に通すファン１０が備えられ、該ファン１０で空気層６を送られる屋内空気を光触媒５，５で清浄化するようになされている。【選択図】      図１
2005241152.tif 000002
【特許請求の範囲】
【請求項１】
屋外に面する開口部に設けられた建具透光板の屋内側、及び／又は、同開口部用の遮光性カーテンの屋外側に、光触媒又は光触媒を含むものからなる空気清浄材が設けられると共に、
屋内空間の空気を、閉じられた前記カーテンと建具との間の空気層に、カーテンの周囲部分を通じて送り入れ、同カーテンの他の周囲部分を通じて屋内空間に送り返す積極的な送風手段が備えられ、
該送風手段で空気層を送られる屋内空気が前記空気清浄材で清浄化されるようになされていることを特徴とする屋内空気清浄システム。
【請求項２】
前記送風手段がファンからなり、該ファンを駆動する太陽光発電部が備えられている請求項１に記載の屋内空気清浄システム。
【発明の詳細な説明】
【技術分野】
【０００１】
本発明は、屋内空気清浄システムに関する。
【背景技術】
【０００２】
屋内空気の清浄化を目的として、光触媒を付加したカーテンが提供されているが、留守がちで、日中、カーテンを閉め、屋内を遮光状態にすることの多い家庭では、光触媒も効きにくく、屋内の空気がなかなか清浄化されないという問題がある。
【発明の開示】
【発明が解決しようとする課題】
【０００３】
本発明は、上記のような問題点に鑑み、屋内をカーテンで遮光状態にしても屋内空気を光触媒で効率良く清浄化していくことができる屋内空気清浄システムを提供することを課題とする。
【課題を解決するための手段】
【０００４】
上記の課題は、屋外に面する開口部に設けられた建具透光板の屋内側、及び／又は、同開口部用の遮光性カーテンの屋外側に、光触媒又は光触媒を含むものからなる空気清浄材が設けられると共に、
屋内空間の空気を、閉じられた前記カーテンと建具との間の空気層に、カーテンの周囲部分を通じて送り入れ、同カーテンの他の周囲部分を通じて屋内空間に送り返す積極的な送風手段が備えられ、
該送風手段で空気層を送られる屋内空気が前記空気清浄材で清浄化されるようになされていることを特徴とする屋内空気清浄システムによって解決される。
【０００５】
このシステムでは、カーテンが閉じられた遮光状態において、光触媒は建具透光板を通じて太陽光を受けることができ、しかも、屋内空間の空気は、閉じられたカーテンと建具との間の空気層を、積極的な送風手段によって通過し、屋内に返されるようになされているので、屋内をカーテンで遮光状態にしても屋内空気を光触媒で効率良く清浄化していくことができる。
【０００６】
なお、「遮光性カーテン」の語は、全く光を透さないカーテンのほか、光をある程度透すけれども閉めることで室内が暗くなるようなカーテンも含み、要は、レースカーテンほどの透光性を備えたカーテンを除く意味で用いている。また、「カーテン」の語は、ブラインドやすだれのほか、開口部の屋内側に設置される各種日除けを含む意味で用いている。
【０００７】
上記のシステムにおいて、送風手段がファンからなり、該ファンを駆動する太陽光発電部が備えられているとよい。この場合は、空気層内への屋内空気の積極的な送込みを自然エネルギーを利用して無電気で行うことができ、ランニングコストを低く抑えることができる。
【発明の効果】
【０００８】
本発明は、以上のとおりのものであるから、屋内をカーテンで遮光状態にしても屋内空気を光触媒で効率良く清浄化していくことができる。
【発明を実施するための最良の形態】
【０００９】
次に、本発明の実施最良形態を図面に基づいて説明する。
【００１０】
図１に示す実施形態の屋内空気清浄システムにおいて、１は建具としてのサッシ窓で、屋外２に面して備えられた開口部に設置され、該サッシ窓１の屋内３側には、遮光性のカーテン４が備えられている。
【００１１】
そして、サッシ窓１の透光板としてのガラス板１ａの屋内側の面部と、遮光性カーテン４の屋外側の面部にはそれぞれ、光触媒からなる空気清浄材５，５が設けられ、遮光性カーテン４を閉じた状態で、いずれの光触媒５，５も、遮光性カーテン４とサッシ窓１との間の空気層６に面して、太陽光７を受けることができるようになされている。
【００１２】
また、閉じられた遮光性カーテン４の上部において、カーテンレール８と壁面９との間には、積極的通風手段としてのファン１０が設置され、ファン１０を駆動することにより、屋内３の空気が、遮光性カーテン４の下方から前記空気層６に送り入れられ、該空気層６内を光触媒５，５と接触しながら上昇していき、カーテン４の上部を通じて屋内３に送り返されるようになされている。そして、サッシ枠１１の屋外２側の面部のような太陽光７を受けることのできる位置に太陽光発電部１２が備えられ、前記ファン１０は該発電部１２で発電された電気で駆動するようになされている。
【００１３】
上記のシステムでは、日中、留守がちで、カーテン４が閉められ、屋内３が遮光状態にされることが多くても、光触媒５，５は、サッシ窓１のガラス板１ａを通じて太陽光７を受けることができ、屋内３の空気は、ファン１０の駆動で、カーテン４とサッシ窓１との間の空気層６を通過して光触媒５，５と接触することができるので、屋内３の空気を光触媒５，５で効率良く清浄化していくことができる。
【００１４】
しかも、本実施形態のシステムでは、積極的な送風手段としてファン１０を使用し、該ファン１０を太陽光発電部１２で発電した電気で駆動するようにしているので、ファン１０の駆動を自然エネルギーを利用して無電気で行うことができ、ランニングコストを低く抑えることができる。のみならず、光触媒５が太陽光７を受けて働くと、同時に発電が起きてファン１０も駆動するので、屋内３の空気を簡素な始動機構で清浄化していくことができる。なお、蓄電池を備えさせ、必要なときにスイッチでファン１０を駆動するようにするのもよい。
【００１５】
以上に、本発明の実施形態を示したが、本発明はこれに限られるものではなく、発明思想を逸脱しない範囲で各種の変更が可能である。例えば、遮光性カーテン４とサッシ窓１との間にレースカーテンなどの透光性カーテンが設けられる場合には、カーテン側の光触媒は、透光性カーテンの側に設けられていてもよいし、遮光性カーテン４の屋外側の面部に設けられていてもよいし、要は、遮光性カーテン４を閉じた状態で太陽光を受けることができる部分に設けられていればよい。
【００１６】
また、上記の実施形態では、カーテン４の側とガラス板１ａの側の両方に光触媒５，５を設けた場合を示しているが、いずれか一方に設けられていればよい。また、積極的な送風手段として、空気層６に温度差による気流が促進的に形成されるように、サッシ窓１のガラス板１ａの光透過性を板面方向において異ならせるようにしたものや、その他のものが用いられてよい。
【００１７】
更に、カーテン側に備えられる空気清浄材として、光触媒と、キトサン等のその他の空気清浄材とが併用されていてもよいし、また、ガラス板１ａの側に光触媒が設けられている場合には、カーテン側に光触媒以外のキトサン等のその他の空気清浄材が設けられていてもよい。
【図面の簡単な説明】
【００１８】
【図１】実施形態の屋内空気清浄システムを示す断面側面図である。
【符号の説明】
【００１９】
１…サッシ窓（建具）
１ａ…ガラス板（透光板）
２…屋外
３…屋内
４…遮光性カーテン
５…光触媒（空気清浄材）
６…空気層
１０…ファン（通風手段）
１２…太陽光発電部
【図１】
2005241152.tif 000003